(57)【要約】      （修正有）【課題】使い易く清潔に維持し易くかつドリンク孔の望ましくない開放を防止するように液密にかつ確実にドリンク孔を密封する飲料容器用の蓋を提供すること。【解決手段】飲料容器用の蓋は、差込ピン式締結装置を備える円形上側部２０１と、これに対応する差込ピン式締結装置を備える円形下側部２０２とを備える。円形上側部が第１開口部２０５ａ及び第２開口部２０６ａを備え、かつ円形下側部が対応する第１開口部２０５ｂ及び第２開口部を備える。円形上側部の差込ピン式締結装置と円形下側部の対応する差込ピン式締結装置が、開放位置において第１開口部を整列させかつ第２開口部を整列できるようにしかつ閉鎖位置において第１開口部を非整列にさせ密封しかつ第２開口部を非整列にさせ密封できるようにする様式で共通軸の周りで相互に対して回転するように円形上側部及び円形下側部を案内するように、相互に結合されるように構成される。【選択図】図３
2017036089.tif 000002
【特許請求の範囲】
【請求項１】
飲料容器用の蓋において、
該蓋が、
差込ピン式締結装置を備える円形上側部と、
これに対応する差込ピン式締結装置を備える円形下側部とを備え、
前記円形上側部が第１開口部及び第２開口部を備え、かつ前記円形下側部が対応する第１開口部及び第２開口部を備え、
前記円形上側部の前記差込ピン式締結装置と前記円形下側部の前記対応する差込ピン式締結装置が、開放位置において前記第１開口部を整列させかつ前記第２開口部を整列できるようにしかつ閉鎖位置において前記第１開口部を非整列にさせ密封しかつ前記第２開口部を非整列にさせ密封できるようにする様式で共通軸の周りで相互に対して回転するように前記円形上側部及び前記円形下側部を案内するように、相互に結合されるように構成される、蓋。
【請求項２】
前記円形上側部が案内部材を備え、前記円形下側部がこれに対応する案内部材を備え、前記案内部材が、前記案内部材が相互に同一線上で整列した時、設定位置において相互に取り付けられ取り外されるように前記円形上側部及び前記円形下側部を案内するように構成される、請求項１に記載の蓋。
【請求項３】
前記円形上側部又は前記円形下側部が、前記円形上側部が前記円形下側部に対して前記開放位置又は前記閉鎖位置へ回されたとき触感フィードバックを与えるための触感提供機構を備える、請求項１に記載の蓋。
【請求項４】
前記円形上側部が触感フィードバック部材を備え、前記円形下側部がこれに対応する触感フィードバック部材を備え、前記触感フィードバック部材と前記対応する触感フィードバック部材が、触感フィードバックを与えるように構成され、かつ前記円形上側部が前記円形下側部に対して回されたとき開放位置、閉鎖位置において前記第１開口部が整列して停止しかつ前記第２開口部が整列して停止するように案内する、請求項１に記載の蓋。
【請求項５】
前記触感フィードバック部材がスナップ部材を備え、前記対応する触感フィードバック部材がハーフカットを備える、請求項４に記載の蓋。
【請求項６】
前記円形上側部が、突出リップ部材を備えるストッパ部材を備え、前記円形下側部がこれに対応する突出リップ部材を備えるこれに対応するストッパ部材を備え、前記ストッパ部材及び前記対応するストッパ部材が、前記円形上側部が前記円形下側部に対して回されたとき、
前記第１開口部が非整列・閉鎖位置に停止し前記第２開口部が非整列・閉鎖位置に停止するように案内する、
前記差込ピン式締結装置及び前記対応する差込ピン式締結装置が取外し又は取付け位置に停止するように案内する、又は
前記円形上側部と前記円形下側部の付加的相互回転を防止する、ように構成されて、前記円形上側部と前記円形下側部の付加的相互回転を防止する、
請求項１に記載の蓋。
【請求項７】
前記案内部材、前記触感提供機構又は前記ストッパ部材の少なくとも１つが前記差込ピン式締結装置の少なくとも一方に配置される、請求項２〜６のいずれか１項に記載の蓋。
【請求項８】
前記円形上側部が、更にシリコンシール部材又はエラストマを含むシール部材を備え、前記シール部材が、前記円形上側部と前記円形下側部が相互に結合されたとき、前記円形上側部と前記円形下側部との間に位置付けられるように配置され、かつ前記第１開口部及び前記第２開口部が前記閉鎖位置において非整列のとき、前記シール部材が第１開口部の間並びに前記第２開口部の間の通路を全て密封するように構成される、請求項１に記載の蓋。
【請求項９】
前記シール部材が、前記円形上側部から手で取り外せるように構成される、請求項８に記載の蓋。
【請求項１０】
前記円形下側部が、前記円形下側部が飲料容器に対して回されたとき、前記蓋を飲料容器に締結しこれから外すように配置された締結ねじ部を備える、請求項１に記載の蓋。
【請求項１１】
前記蓋が、前記ロック位置において、付加的回転力が加えられた時に飲料容器と前記蓋との間の前記ねじ部の締結を更に締めるように構成される、請求項１に記載の蓋。
【請求項１２】
前記円形下側部がシリコンシール部材又はエラストマを含むシール部材を備え、前記シール部材が、前記円形下側部と飲料容器が相互に結合され密封されたとき前記円形下側部と飲料容器との間に位置付けられるように配置される、請求項１に記載の蓋。
【請求項１３】
前記円形上側部の上面が、使用者がより良く飲めるように、非対称形の部分を備えるか、又は非対称形である、請求項１に記載の蓋。
【請求項１４】
前記円形上側部の上面が、回転把握力を増すためにざらついた又は粗い外面を備える、請求項１に記載の蓋。
【請求項１５】
前記円形上側部又は前記円形下側部の前記第１開口部及び前記第２開口部が、シール部材を備え、前記シール部材が、非開放位置において液密密封式に前記円形上側部又は前記円形下側部に押圧されるように配置される、請求項１に記載の蓋。
【請求項１６】
前記円形下側部が２つの構造部を備え、その一方が硬質材料を含み、他方がシール部材として機能するこれより軟質の部分を備える、請求項１に記載の蓋。
【請求項１７】
前記円形上側部が２つの構造部を備え、その一方が硬質材料を含み、他方がシール部材として機能するこれより軟質の部分を備える、請求項１に記載の蓋。
【請求項１８】
前記円形上側部と前記円形下側部が、前記差込ピン式締結装置を介して取外し可能に相互に結合されるように構成される、請求項１に記載の蓋。
【請求項１９】
蓋を備える飲料容器において、
前記蓋が、
差込ピン式締結装置を備える円形上側部と、
これに対応する差込ピン式締結装置を備える円形下側部とを備え、
前記円形上側部が第１開口部及び第２開口部を備え、かつ前記円形下側部が対応する第１開口部及び第２開口部を備え、
前記円形上側部の前記差込ピン式締結装置と前記円形下側部の前記対応する差込ピン式締結装置が、開放位置において前記第１開口部を整列させかつ前記第２開口部を整列できるようにしかつ閉鎖位置において前記第１開口部を非整列にさせ密封し前記第２開口部を非整列にさせ密封できるようにする様式で共通軸の周りで相互に対して回転するように前記円形上側部及び前記円形下側部を案内するように、相互に結合されるように構成される、蓋。
【請求項２０】
飲料容器用の蓋の製造方法において、
前記蓋が、
差込ピン式締結装置を備える円形上側部と、
これに対応する差込ピン式締結装置を備える円形下側部とを備え、
前記円形上側部が第１開口部及び第２開口部を備え、かつ前記円形下側部が対応する第１開口部及び第２開口部を備え、
前記円形上側部の前記差込ピン式締結装置と前記円形下側部の前記対応する差込ピン式締結装置が、開放位置において前記第１開口部を整列させかつ前記第２開口部を整列できるようにしかつ閉鎖位置において前記第１開口部を非整列にさせ密封し前記第２開口部を非整列にさせ密封できるようにする様式で共通軸の周りで相互に対して回転するように前記円形上側部及び前記円形下側部を案内するように、相互に結合されるように構成される、蓋。
【発明の詳細な説明】
【技術分野】
【０００１】
本発明は、飲料容器用の蓋特に使用時にコーヒー又はティーマグに入れられた液体の漏出又はこぼれを防止するためのコーヒー又はティーマグ用の蓋に関する。更に、本発明は、飲料容器用の蓋を製造する方法並びに前記蓋を備える又は使用する飲料容器に関する。
【背景技術】
【０００２】
飲料容器用の多様な蓋が知られている。最も単純なものの１つは、上部カバーエリアの小さいドリンク孔と折曲げリム部とを有するプラスチックの平らな蓋である。リム部は、厚紙のコーヒーマグのリム部の周りに着座する。ゴム蓋も知られており、ドリンク孔はシール部材で密封される。シール部材は、典型的には、小さいアームを有し、マグ内の液体を飲むためにドリンク孔から遠ざかるように回しかつ密封のためにドリンク孔に被さるように再び回せるように、蝶番式に接続される。シール部材は、シール位置においてアームのばね力によってドリンク孔に対して押圧される。更に、例えばばね及びシールボールを有する内側シール材を持つ蓋など更に複雑な構造体が知られている。この場合、ボールはばねによって押されて、例えば蓋が回されたときドリンク孔の中へ入ったりドリンク孔から遠ざかったりする。
【０００３】
但し、既知の先行技術に関してはいくつかの不利点がある。例えば、小さいドリンク孔を有するプラスチックの平らな蓋は、ドリンク孔のための密封機能を一切持たない。更に、シール部材を持つゴム蓋は、アームのばね力が緩むことが多く、特に小さいアームは例えばマグをバッグに入れたとき簡単に曲がって回転して孔のエリアから外れることさえあるので、充分に締まらない。更に、例えばばね及びシールボールを有する内側シール部材を持つ蓋は、製造が非常に複雑であり、更に清潔に維持することが非常に困難であり、蓋が開放又は閉鎖位置にある時使用者に対する明確なフィードバック又は指示がないことが多い。
【発明の概要】
【発明が解決しようとする課題】
【０００４】
本発明の目的は、既存の先行技術に関連する問題を軽減し排除することである。明確には、本発明の目的は、使い易く清潔に維持し易くかつドリンク孔の望ましくない開放を防止するように液密にかつ確実にドリンク孔を密封する飲料容器用の蓋を提供することである。更に、本発明の目的は、蓋が開放位置か閉鎖位置かの明確な指示を使用者に与える蓋を提供することである。
【課題を解決するための手段】
【０００５】
本発明の目的は、独立請求項の特徴によって得られる。
【０００６】
本発明は、請求項１に記載の蓋に関連する。更に、本発明は、請求項１９に記載の飲料容器及び請求項２０に記載の蓋の製造方法に関する。
【０００７】
本発明の１つの実施形態によれば、飲料容器用の蓋は、上側部と下側部とを備える。上側部は円形上側部であり、差込ピン式締結装置（bayonet fastening device）を備える。下側部は円形下側部であり、上側部の差込ピン式締結装置を受け入れるのに適するこれに対応する差込ピン式締結装置を備え、それによって、上側部と下側部との間の取付け／取外しを簡単にできるようにする。１つの実施例として、上側部の差込ピン式締結装置は、雄型差込ピン式締結装置であり、下側部のこれに対応する差込ピン式締結装置は雌型差込ピン式締結装置であるか、又はその逆である。円形上側部は、更に、第１及び第２開口部即ち、飲料の出口用の開口部及び補償空気取入れ用の開口部を備える。更に、円形下側部は、対応する第１及び第２開口部即ち飲料出口用の開口部及び補償空気の取入れ用の開口部を備える。
【０００８】
円形上側部の差込ピン式締結装置と円形下側部のこれに対応する差込ピン式締結装置は、使用時に相互に結合できるように、特に前記円形上側部と下側部が前記差込ピン式締結装置を介して取外し可能に相互に結合されるように、有利に構成される。
【０００９】
結合は、円形上側部と円形下側部を共通軸の周りで相互に回せるようにする様式で上側部及び下側部を案内するように有利に実現される。上側部及び下側部を回すとき、上側部及び下側部は、開放位置において第１開口部を整列しかつ第２開口部を整列して、それによって第１開口部を通過する液体の流れ及び第２開口部を通過する補償空気の取入れを可能にする。更に、上側部及び下側部は、閉鎖位置において、即ち開口部が整列しないように回されたとき、密封式に第１開口部を非整列にさせかつ第２開口部を非整列にできる。閉鎖位置において、飲料容器の開口部は、液密式に密封され、それによって、蓋に結合されたマグ又は飲料容器に入れられた液体の漏出又はこぼれを防止できる。
【００１０】
蓋の１つの実施形態によれば、有利なのは、円形下側部は、蓋（円形下側部）が飲料容器に対して回されたとき蓋を前記飲料容器に締結しかつ飲料容器から外すように配置される締結ねじ部（fastening thread）を備える。これによって、蓋構造体が飲料容器に対して閉鎖されたままであるように安全で確実な締結を保証する。
【００１１】
１つの実施形態によれば、円形上側部はリップ又はトングなどの第１案内部材を備え、円形下側部は、溝などのこれに対応する第１案内部材を備える。上側部のリップが下側部の溝と整列した時、円形上側部と下側部は相互に取付け及び取外しできる。円形上側部が回されると（取付け後に）、開放位置及び閉鎖位置が得られる。更に、前記第１及び第２案内部材が相互に非整列のとき、上側及び下側部の差込ピン式締結装置の案内部材（溝とこれに対応する溝）は、上側部と下側部が密着して一緒に維持されるように共通軸の周りでの相互に対する上側部と下側部の回転を案内する。
【００１２】
円形上側及び／又は下側部は、円形上側部が円形下側部に対して開放（ドリンク）及び／又は閉鎖位置へ回されたとき、触覚的、触感的及び／又は聴覚的フィードバックを与えるためのフィードバック提供機構も備えることができる。フィードバックは、上側部が前記円形下側部に対して取外し位置へ回されたときにも生成できる。触感提供機構は、スナップ又はハーフカットによって有利に実現される。更に、蓋は、円形上側部及び下側部のリムエリアに「開放」、「閉鎖」及び「取外し」位置を示すマーキングを有利に備える。マーキングは、相互に対して回される上側及び下側部の構造体のカラードット又はノッチ又は彫刻によって実現できる。
【００１３】
１つの実施形態によれば、蓋は、前記円形上側部を円形下側部に対して回した時非整列即ち閉鎖（非漏出）位置で停止するように上側部及び下側部の第１及び第２開口部を案内するためのストッパ部材を備える。ストッパ部材は、前記上側と下側部の付加的相互回転を防止するようにも構成される。上側部を更に下側部に対して（例えば右回りに）回そうとすると、ストッパ部材は、下側部も回転させ、それによって、蓋（下側部）と飲料容器との間のねじ接続部を締める。更に、前記ストッパ部材は、円形上側部が円形下側部に対して別の方向に回されたとき、取外し位置で停止するように円形上側部及び下側部を案内するように有利に構成される。上側部を更に下側部に対して（例えば左回りに）回そうとすると、ストッパ部材は下側部も回転させ、それによって、蓋（下側部）と飲料容器との間のねじ接続部を緩める。
【００１４】
ストッパ部材は、上側部の突出リップ部材及び円形下側部のこれに対応する突出リップ部材等、円形上側及び下側部の機械的構造体によって有利に実現される。
【００１５】
１つの実施形態によれば、前記案内部材、前記触感提供機構及び／又は前記ストッパ部材は、前記差込ピン式締結装置の少なくとも１つに配置される。前記案内部材、前記触感提供機構及び／又はストッパ部材は、円形上側及び下側部又は差込ピン式装置の中に自由に配置でき、それによって、多数の又は異なる位置で円形上側及び下側部をロックし、取り付け、案内しかつ／又はフィードバックを与えることができるようにする。更に、例えばスナップ音又はスナップ式に閉鎖又は開放位置へ嵌る前に感じる機械的抵抗の変化など、蓋を開閉するとき又は蓋が取外し位置に回されたとき使用者に触覚的、触感的及び／又は聴覚的フィードバックを与えるように実現できる。これに加えて又はこれに代えて、蓋（上側部及び下側部）は、閉鎖又は開放位置並びに取付け／取外し位置の視覚的整列又は指示も備えることができる。
【００１６】
更に、１つの実施形態によれば、円形下側部の第１及び第２開口部は、非開放位置において液密密封式に円形上側部に押圧されるように配置されるシール部材を備える。シール部材は、円形上側部と下側部との間の空間への漏出を防止するように開口部エリアの周りに有利に配置される。
【００１７】
１つの実施形態によれば、蓋又は円形上側部は、円形上側部と下側部が相互に結合されたとき前記円形上側部と下側部との間に位置するように構成されるシール部材を備える。更に、円形下側部はシール部材を備え、前記シール部材は、前記円形下側部と飲料容器が相互に結合され密封されたとき円形下側部と飲料容器との間に位置するように配置される。
【００１８】
シール部材は、効果的に液体を密封するのに適する軟質ゴム又はシリコン部材又はその他のエラストマ（例えば、ＴＰＥ−熱可塑性エラストマ、ＴＰＶ−熱可塑性加硫物、ＴＰＵ−熱可塑性ポリウレタン）である。更に、シール部材は、例えば清掃のために手で取り外しできるように有利に構成される。
【００１９】
更に、有利な実施形態によれば、円形下側部は２つの構造部を備え、その一方はプラスチックのような硬質の材料を含み、他方は、前記シール部材として機能できるこれより軟質の部分を備える。また、円形上側部は、２つの構造部を備えることができ、そのうち一方は、プラスチックのような硬質材料を含み、他方は、前記シール部材として機能できるこれより軟質の部分を備える。更に、円形上側部の上面は、使用者が飲みやすいように非対称形部分を有利に備えるか又は非対称形である。更に、円形上側部の上面は、回転把握力（turning grip）を増すためにざらついた又は粗い外面を備えることができる。
【００２０】
本発明は、簡単かつ液密式に蓋のドリンク孔を閉鎖できる又は簡単かつ衛生的に蓋を開けられるなど、既知の先行技術に対する利点を提供する。ドリンク孔は、ドリンク孔の望ましくない開放が効果的に防止されるように確実に閉鎖できる。更に、本発明は、簡単に液密式に飲料容器と結合できる蓋を提供する。本発明に係る蓋は、ばねまたはシールボール無しで実現でき、構造及び製造工程をかなり単純にする。更に、本発明の蓋は、簡単に、使用しかつ清潔に維持できる。更に、蓋は、蓋が開放又は閉鎖位置又は円形上側部ト下側部を取付け／取外し可能な位置であるかの明確な指示を使用者に与える。
【００２１】
次に、本発明について、添付図面に従って代表的な実施形態を参照してさらに詳細に説明する。
【図面の簡単な説明】
【００２２】
【図１】本発明の有利な実施形態に従った蓋付きの代表的な飲料容器の原則を示す。
【図２】本発明の有利な実施形態に従った代表的な蓋を示す。
【図３】本発明の有利な実施形態に従った蓋の代表的な円形上側及び下側部を示す。
【図４】本発明の有利な実施形態に従った蓋の円形上側及び下側部の代表的構造部品を示す。
【図５】本発明の有利な実施形態に従った代表的蓋構造体の断面の一例である。
【図６】本発明の有利な実施形態に下型蓋の代表的操作を示す。
【図７Ａ】本発明の有利な実施形態に従った蓋の別の代表的操作を示す。
【図７Ｂ】本発明の有利な実施形態に従った蓋の別の代表的操作を示す。
【図７Ｃ】本発明の有利な実施形態に従った蓋の別の代表的操作を示す。
【図８Ａ】本発明の有利な実施形態に従った差込ピン式装置を持つ代表的円形上側及び下側部を示す。
【図８Ｂ】本発明の有利な実施形態に従った差込ピン式装置を持つ代表的円形上側及び下側部を示す。
【図９Ａ】本発明の有利な実施形態に従った蓋を持つ代表的飲料容器を示す。
【図９Ｂ】本発明の有利な実施形態に従った蓋を持つ代表的飲料容器を示す。
【発明を実施するための形態】
【００２３】
図１は、本発明の有利な実施形態に従った蓋２００を持つ代表的飲料容器１００の原則を示す。典型的な飲料容器１００は、例えばコーヒー又はティーマグであるが、当然、内部に液体を入れることができかつ液体の漏出又はこぼれを防止するために蓋２００を使用できる任意の飲料容器である。
【００２４】
図２〜８Ｂは、本発明の有利な実施形態に従った代表的蓋２００の様々な図を示し、図２及び６において、蓋は、使用モードに組み立てられており、図３において、蓋は、蓋を形成する円形上側部２０１と円形下側部２０２に分割されている。更に、図４は代表的蓋構造体を示し、円形上側部は２つの部品２０１ａ、２０２ｂを備え、円形下側部２０２は２つの部品２０２ａ、２０２ｂを備える。図５は、代表的蓋構造体２００の円形上側部２０１の断面図である。
【００２５】
例えば図３、４、５及び特に図８Ａ及び８Ｂから分かるように、円形上側部２０１は、雄型差込ピン式締結装置２０３を備え、円形下側部２０２は、これに対応する雌型差込ピン式締結装置２０４を備える。円形上側部２０１は、更に、第１開口部２０５ａと第２開口部２０６ａ、即ち飲料出口用の開口部２０５ａと補償空気取入れ用の開口部２０６ａとを備える。更に、円形下側部２０２は、第１開口部２０５ｂと第２開口部２０６ｂ、即ち飲料出口用の開口部２０５ａと補償空気取入れ用の開口部２０６ｂとを備える。図２及び６に示すように、蓋が組み立てられると、蓋は、ドリンクモードにおいてドリンク出口としての第１開口部２０５と補償空気取り入れ口としての第２開口部２０６を備える。
【００２６】
円形上側部２０１の差込ピン式装置２０３と円形下側部２０２のこれに対応する差込ピン式装置２０４は、相互に取外し可能に結合できるように構成される。差込ピン式装置は、円形上側部と下側部の取付け／取外しを容易にできるようにする。更に、差込ピン式装置は、特に図６及び７Ａ〜７Ｃから分かるように、開放、閉鎖及び取外し位置の間で共通軸２０７の周りで相互に対して回せるように、円形上側部２０１及び円形下側部２０２を案内する。
【００２７】
図４から分かるように、円形下側部２０２は、２つの構造部、即ちプラスチックのような硬質材料を含む構造部２０２ａと、例えばシール部材として機能するこれより軟質の部分を備える構造部２０２ｂとを備える。円形上側部２０１も、２つの構造部、即ちプラスチックのような硬質材料を含む構造部２０１ａと、例えばシール部材として機能するこれより軟質の部分を含む別の構造部２０１ｂとを備える。シール部材は、非開放位置において液密密封式に円形上側部及び／又は下側部２０２に押圧されるように有利に配置される。更に、シール部材２０２ｂは、円形下側部と飲料容器が相互に結合され密封されたとき、円形下側部２０２と飲料容器１００との間に位置するように配置される。
【００２８】
シール部材は、開口部が閉鎖位置において非整列のとき、第１開口部２０５ａ、２０５ｂの間並びに第２開口部２０６ａ、２０６ｂの間の通路を全て密封するように有利に構成される。１つの実施形態によれば、シール部材２３９、２４０は、ドリンク及びロック位置のとき上側部と下側部の間を確実に密封するように（圧力シール）、底部から円形上側部の中へ挿入できる。シール部材エリアは、回転摩擦を減少するために有利に最小限に維持できる。使用者が清掃及び再取付けのために取り外しできる（指で引き出せる）ように、シール部材に凹部（１つ又は複数）を備えることもできる。更に、シール部材２３９、２４０は、円形上側部が閉鎖位置へ回されたとき、シール部材をドリンク孔及び空気孔２０６ａ、２０５ｂにさらに押圧するように構成される小さい突出エリア２３９ａ、２４０ａを備えることもできる。シール部材は、例えば軟質ゴム、シリコン又はその他のエラストマ（例えばＴＰＥ−熱可塑性エラストマ、ＴＰＶ−熱可塑性加硫物、ＴＰＵ−熱可塑性ポリウレタン）であるか又はこれを含むことができる。
【００２９】
例えば図８Ａ及び８Ｂから分かるように、円形上側部２０１は案内部材２３１を備え、円形下側部２０２はこれに対応する案内部材２３２を備える。案内部材は、設定された位置で相互に取付け及び取外しされるように円形上側部と下側部２０１、２０１を案内するように構成される。案内部材２３１、２３２は、差込ピン式装置２０３、２０４の中へ有利に配置される。更に、案内部材は、リップ又はトング２３２及び対応する溝２３１によって有利に実現される。
【００３０】
更に、蓋２００は、円形上側部２０１を円形下側部２０２に対して回したとき２０７上側部及び下側部２０１、２０１を非整列即ち閉鎖（非漏出）位置（２３７ａ）で停止するように上側部及び下側部２０１、２０２の第１及び第２開口部２０５、２０６を案内するためのストッパ部材２３６、２３７ａ、２３７ｂを備える。更に、前記ストッパ部材２３６、２３７ａ、２３７ｂは、円形上側部が円形下側部２０２に対して前と別の方向に回されたとき２０７、取外し位置（２３７ｂ）で停止するように円形上側部及び下側部２０１、２０２を案内するように有利に構成される。ストッパ部材は、上側部の突出リップ部材２３６及び円形下側部のこれに対応する突出リップ部材２３７ａ、２３７ｂなど、円形上側部及び下側部の機械的構造体によって有利に実現される。
【００３１】
蓋は、更に、ロック位置（２３７Ａ）において、ストッパ部材２３６、２３７Ａが相互に押し付けられるように（例えば右回りに）付加的回転力が与えられる場合、飲料容器１００と蓋２００との間のねじ部２３８の締結を更に締めるように構成される。更に、蓋は、取外し位置（２３７Ｂ）において、ストッパ部材２３６、２３７Ｂが相互に押し付けられるように（例えば左回りに）付加的回転力が加えられた時飲料容器１００と蓋２００との間のねじ部２３８の締結を緩めるようにも構成できる。円形上側部のストッパ部材２３６が前記ストッパ部材２３７Ａ、２３７Ｂを介して下側部も回転させることによって、蓋（下側部）と飲料容器との間のねじ接続を更に締める又は緩める（回転方向に応じて）ので、ストッパ部材２３６、２３７ａ、２３７ｂによって更なる締め又は緩めが得られる。
【００３２】
更に、１つの実施例によれば、「開放」位置から「取外し」位置へ移動するためには使用者が力を加えなければならないように、ストッパ部材２３７Ａと２３７Ｂとの間には、円形上側部２０１が下側部から偶発的に外れるのを防止するように構成されるストッパリブが配置される。ストッパリブは図示しない。
【００３３】
図６及び７Ａ〜７Ｃは、本発明の有利な実施形態に従った蓋２００の操作を示し、蓋は、３つの異なる位置即ち開放、閉鎖及び取付け／取外し位置を有する。
【００３４】
円形上側部は、マーキング部材２３３を有利に備え、円形下側部も、蓋の様々な位置（開放、閉鎖、取付け／取外し）を示すマーキング部材２３３Ａ、２３３Ｂ及び２３３Ｃを備える。１つの実施形態によれば、マーキング部材２３３、２３３Ａが整列するように上側部及び下側部２０１、２０１を回すと、前記案内部材２３１、２３２も同一線に整列し、それによって、円形上側部と下側部の取付け／取外しが可能になる（図７Ａ）。
【００３５】
マーキング部材２３３、２３３Ｂが整列するように上側部、下側部２０１、２０２を回すと、開放位置において第１開口部２０５ａ、２０５ｂも整列し、第２開口部２０６ａ、２０６ｂは整列する（図７Ｂ）ので、第１開口部２０５を介して液体が流れることができ、第２開口部２０６を介して補償空気を取り入れることができる。
【００３６】
更に、マーキング部材２３３、２３３Ｃが整列するように上側部、下側部２０１、２０２を回すと、上側部及び下側部２０１、２０２は、閉鎖位置において即ち開口部が整列しないように上側部及び下側部が回されたとき、密封式に第１開口部２０５ａ、２０６ｂを非整列に又第２開口部２０５ｂ、２０６ｂを非整列に配列する（図７Ｃ）。閉鎖位置において、飲料容器の開口部は、液密式に密封されるので、マグの中の液体の漏出又はこぼれを防止できる。
【００３７】
１つの実施例によれば、円形上側部が下側部に取り付けられたら、中央差込ピン式機構２０３、２０４は、上側部をドリンク位置へ回せるようにする（例えば、右回りに６０°）。更に回すと（例えば、右回りに４５°）、上側部と下側部をロックして、漏出を防止する。ロック位置に達すると、ストッパ機構は、更なる回転を防止する。ロック位置のとき付加的回転力が（右回り）加えられると、本明細書の別の部分で論じるように、カップと蓋との間のねじ締結を更に締める。
【００３８】
円形上側部及び／又は下側部２０１、２０２は、前記円形上側部２０１が前記円形下側部２０２に対して前記開放又は閉鎖（ドリンク及びロック）位置へ又は取付け／取外し位置へ回されたとき触覚、触感及び／又は聴覚フィードバックを与えるためのフィードバック提供機構２３４、２３５Ａ、２３５Ｂ、２３５Ｃも備えることができる。フィードバック部材は、触覚、触感及び／又は聴覚フィードバックを提供し、更に円形上側部２０１が前記円形下側部２０２に対して回されたとき開口（ドリンク）位置、閉鎖位置、及び又は取付け／取外し位置で前記第１開口部を整列して停止させ第２開口部２０６ａ、２０６ｂを整列して停止させるのを助けかつ案内するように構成されるように、例えばスナップ又はハーフカット２３４、２３５Ａ、２３５Ｂ、２３５Ｃによって実現される。
【００３９】
図９Ａ〜９Ｂは、本発明の有利な実施形態に従った実施例の蓋１００を持つ代表的飲料容器１００を示し、蓋の円形下側部２０２は、前記円形下側部２０２（又は蓋）を前記飲料容器に対して回したとき前記蓋を前記飲料容器へ締結しかつ容器から外すように配置された締結ねじ部２３８を備える。
【００４０】
本発明について、上記の実施形態を参照して説明し、本発明のいくつかの利点を立証した。本発明はこれらの実施形態に限定されず、発明的思考及び以下の請求項の主旨及び範囲内に在る全ての可能な実施形態を含む。更に、従属請求項において言及する特徴は、特に明示しない限り相互に自由に組合せ可能である。
【図１】
2017036089.tif 000003
【図２】
2017036089.tif 000004
【図３】
2017036089.tif 000005
【図４】
2017036089.tif 000006
【図５】
2017036089.tif 000007
【図６】
2017036089.tif 000008
【図７Ａ】
2017036089.tif 000009
【図７Ｂ】
2017036089.tif 000010
【図７Ｃ】
2017036089.tif 000011
【図８Ａ】
2017036089.tif 000012
【図８Ｂ】
2017036089.tif 000013
【図９Ａ】
2017036089.tif 000014
【図９Ｂ】
2017036089.tif 000015
【外国語明細書】
2017036089000001.pdf